(57)【特許請求の範囲】
【請求項１】
シートを搬送方向に案内する第１の案内部と、
この第１の案内部に沿ってシートが搬送されるように、前記第１の案内部にシートの側縁を接触させる方向にシートを搬送する第１の搬送手段と、
前記第１の案内部に沿ってシートが搬送される場合に、前記第１の搬送手段よりも搬送方向上流側でシートを湾曲させて搬送方向に案内する第２の案内部と、
前記第１の搬送手段よりも搬送方向上流側でシートの搬送方向の側縁が前記第１の案内部から離れていく方向にシートを湾曲させて案内する第３の案内部と、
前記第２の案内部及び前記第３の案内部よりも搬送方向上流側から前記第１の搬送手段までシートを搬送する第２の搬送手段と、
を有し、
前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されているシート搬送装置。
【請求項２】
シートを搬送方向に案内する第１の案内部と、
この第１の案内部に沿ってシートが搬送されるように、前記第１の案内部にシートの側縁を接触させる方向にシートを搬送する第１の搬送手段と、
この第１の搬送手段よりも搬送方向上流側でシートを湾曲させて案内する第２の案内部と、
前記第１の搬送手段よりも搬送方向上流側でシートを湾曲させて案内し、前記第１の案内部に接触しない側のシートの側縁を湾曲させて案内する部分の長さが、前記第１の案内部に接触する側のシートの側縁を湾曲させて案内する部分の長さよりも長い第３の案内部と、
前記第２の案内部及び前記第３の案内部よりも搬送方向上流側から前記第１の搬送手段までシートを搬送する第２の搬送手段と、
を有し、
前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されているシート搬送装置。
【請求項３】
前記第２の案内部は、搬送中のシートの内側面側に配置されていて、
前記第３の案内部は、搬送中のシートの外側面側に配置されていて、
前記第２の案内部と前記第３の案内部との間の空間を搬送中のシートが通過する請求項１又は２記載のシート搬送装置。
【請求項４】
前記第２の搬送手段は、シートを送り出す方向が水平方向よりも上向きであり、
前記第１の搬送手段は、前記第２の搬送手段よりも重力方向における下側であって、重量方向においてシートを下向きに移動させる位置に配置されていて、
前記第２の案内部及び前記第３の案内部は、水平方向よりも上向きに送り出されたシートを、重力方向において下側に移動するように湾曲させて案内する請求項１乃至３いずれか記載のシート搬送装置。
【請求項５】
画像形成部と、
この画像形成部が形成する画像をシートに転写する転写手段と、
この転写手段が画像を転写したシートを通過させることにより、熱及び圧力の少なくともいずれかを加えて画像をシートに定着させる定着装置と、
この定着装置を通過したシートを、再び前記転写手段へ搬送する搬送手段と、
を具備し、
前記搬送手段は、
シートを搬送方向に案内する第１の案内部と、
この第１の案内部に沿ってシートが搬送されるように、前記第１の案内部にシートの側縁を接触させる方向にシートを搬送する第１の搬送手段と、
前記第１の案内部に沿ってシートが搬送される場合に、前記第１の搬送手段よりも搬送方向上流側でシートを湾曲させて搬送方向に案内する第２の案内部と、
前記第１の搬送手段よりも搬送方向上流側でシートの搬送方向の側縁が前記第１の案内部から離れていく方向にシートを湾曲させて案内する第３の案内部と、
前記第２の案内部及び前記第３の案内部よりも搬送方向上流側から前記第１の搬送手段までシートを搬送する第２の搬送手段と、
を有し、
前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されている画像形成装置。
【請求項６】
画像形成部と、
この画像形成部が形成する画像をシートに転写する転写手段と、
この転写手段が画像を転写したシートを通過させることにより、熱及び圧力の少なくともいずれかを加えて画像をシートに定着させる定着装置と、
この定着装置を通過したシートを、再び前記転写手段へ搬送する搬送手段と、
を具備し、
前記搬送手段は、
シートを搬送方向に案内する第１の案内部と、
この第１の案内部に沿ってシートが搬送されるように、前記第１の案内部にシートの側縁を接触させる方向にシートを搬送する第１の搬送手段と、
この第１の搬送手段よりも搬送方向上流側でシートを湾曲させて案内する第２の案内部と、
前記第１の搬送手段よりも搬送方向上流側でシートを湾曲させて案内し、前記第１の案内部に接触しない側のシートの側縁を湾曲させて案内する部分の長さが、前記第１の案内部に接触する側のシートの側縁を湾曲させて案内する部分の長さよりも長い第３の案内部と、
前記第２の案内部及び前記第３の案内部よりも搬送方向上流側から前記第１の搬送手段までシートを搬送する第２の搬送手段と、
を有し、
前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されている画像形成装置。
【請求項７】
前記搬送手段は、前記転写手段がシートの同一面に画像を複数回転写可能なようにシートを搬送する請求項５又は６記載の画像形成装置。
【請求項８】
前記第２の案内部は、搬送中のシートの内側面側に配置されていて、
前記第３の案内部は、搬送中のシートの外側面側に配置されていて、
前記第２の案内部と前記第３の案内部との間の空間を搬送中のシートが通過する請求項
５乃至７いずれか記載の画像形成装置。
【請求項９】
前記第２の搬送手段は、シートを送り出す方向が水平方向よりも上向きであり、
前記第１の搬送手段は、前記第２の搬送手段よりも重力方向における下側であって、重量方向においてシートを下向きに移動させる位置に配置されていて、
前記第２の案内部及び前記第３の案内部は、水平方向よりも上向きに送り出されたシートを、重力方向において下側に移動するように湾曲させて案内する請求項５乃至８いずれか記載の画像形成装置。
【発明の詳細な説明】
【技術分野】
【０００１】
本発明は、シート搬送装置及び画像形成装置に関するものである。
【背景技術】
【０００２】
特許文献１は、傾斜コロを用いて用紙を斜め前方に搬送しつつサイド基準壁に用紙の一方の側縁を当接させて用紙のスキュー及び横位置を修整する装置を開示する。
【０００３】
【特許文献１】特開昭５６−１２２７４７号公報
【発明の開示】
【発明が解決しようとする課題】
【０００４】
本発明は、シートに損傷を与えることなく、シートの側縁を所定の位置に揃えてシートを搬送することができるシート搬送装置及び画像形成装置を提供することを目的とする。
【課題を解決するための手段】
【０００５】
上記目的を達成するために、請求項１に係る本発明は、シートを搬送方向に案内する第１の案内部と、この第１の案内部に沿ってシートが搬送されるように、前記第１の案内部にシートの側縁を接触させる方向にシートを搬送する第１の搬送手段と、前記第１の案内部に沿ってシートが搬送される場合に、前記第１の搬送手段よりも搬送方向上流側でシートを湾曲させて搬送方向に案内する第２の案内部と、前記第１の搬送手段よりも搬送方向上流側でシートの搬送方向の側縁が前記第１の案内部から離れていく方向にシートを湾曲させて案内する第３の案内部と、前記第２の案内部及び前記第３の案内部よりも搬送方向上流側から前記第１の搬送手段までシートを搬送する第２の搬送手段と
を有し、前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されているシート搬送装置である。
【０００７】
請求項２に係る本発明は、シートを搬送方向に案内する第１の案内部と、この第１の案内部に沿ってシートが搬送されるように、前記第１の案内部にシートの側縁を接触させる方向にシートを搬送する第１の搬送手段と、この第１の搬送手段よりも搬送方向上流側でシートを湾曲させて案内する第２の案内部と、前記第１の搬送手段よりも搬送方向上流側でシートを湾曲させて案内し、前記第１の案内部に接触しない側のシートの側縁を湾曲させて案内する部分の長さが、前記第１の案内部に接触する側のシートの側縁を湾曲させて案内する部分の長さよりも長い第３の案内部と、前記第２の案内部及び前記第３の案内部よりも搬送方向上流側から前記第１の搬送手段までシートを搬送する第２の搬送手段と、
を有し、前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されているシート搬送装置である。
請求項３に係る本発明は、前記第２の案内部は、搬送中のシートの内側面側に配置されていて、前記第３の案内部は、搬送中のシートの外側面側に配置されていて、前記第２の案内部と前記第３の案内部との間の空間を搬送中のシートが通過する請求項１又は２記載のシート搬送装置である。
請求項４に係る本発明は、前記第２の搬送手段は、シートを送り出す方向が水平方向よりも上向きであり、前記第１の搬送手段は、前記第２の搬送手段よりも重力方向における下側であって、重量方向においてシートを下向きに移動させる位置に配置されていて、前記第２の案内部及び前記第３の案内部は、水平方向よりも上向きに送り出されたシートを、重力方向において下側に移動するように湾曲させて案内する請求項１乃至３いずれか記載のシート搬送装置である。
【０００８】
請求項５に係る本発明は、画像形成部と、この画像形成部が形成する画像をシートに転写する転写手段と、この転写手段が画像を転写したシートを通過させることにより、熱及び圧力の少なくともいずれかを加えて画像をシートに定着させる定着装置と、この定着装置を通過したシートを、再び前記転写手段へ搬送する搬送手段と、を具備し、前記搬送手段は、シートを搬送方向に案内する第１の案内部と、この第１の案内部に沿ってシートが搬送されるように、前記第１の案内部にシートの側縁を接触させる方向にシートを搬送する第１の搬送手段と、前記第１の案内部に沿ってシートが搬送される場合に、前記第１の搬送手段よりも搬送方向上流側でシートを湾曲させて搬送方向に案内する第２の案内部と、前記第１の搬送手段よりも搬送方向上流側でシートの搬送方向の側縁が前記第１の案内部から離れていく方向にシートを湾曲させて案内する第３の案内部と、前記第２の案内部及び前記第３の案内部よりも搬送方向上流側から前記第１の搬送手段までシートを搬送する第２の搬送手段と、を有し、前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されている画像形成装置である。
【００１０】
請求項６に係る本発明は、画像形成部と、この画像形成部が形成する画像をシートに転写する転写手段と、この転写手段が画像を転写したシートを通過させることにより、熱及び圧力の少なくともいずれかを加えて画像をシートに定着させる定着装置と、この定着装置を通過したシートを、再び前記転写手段へ搬送する搬送手段と、を具備し、前記搬送手段は、シートを搬送方向に案内する第１の案内部と、この第１の案内部に沿ってシートが搬送されるように、前記第１の案内部にシートの側縁を接触させる方向にシートを搬送する第１の搬送手段と、この第１の搬送手段よりも搬送方向上流側でシートを湾曲させて案内する第２の案内部と、前記第１の搬送手段よりも搬送方向上流側でシートを湾曲させて案内し、前記第１の案内部に接触しない側のシートの側縁を湾曲させて案内する部分の長さが、前記第１の案内部に接触する側のシートの側縁を湾曲させて案内する部分の長さよりも長い第３の案内部と、前記第２の案内部及び前記第３の案内部よりも搬送方向上流側から前記第１の搬送手段までシートを搬送する第２の搬送手段と、を有し、前記第２の案内部及び前記第３の案内部は、前記第１の案内部に接触しない側のシートの側縁を湾曲させて案内する部分の間隔が、前記第１の案内部に接触する側のシートの側縁を湾曲させて案内する部分の間隔よりも大きくなるように対向して配設されている画像形成装置である。
【００１１】
請求項７に係る本発明は、前記搬送手段は、前記転写手段がシートの同一面に画像を複数回転写可能なようにシートを搬送する請求項５又は６記載の画像形成装置である。
請求項８に係る本発明は、前記第２の案内部は、搬送中のシートの内側面側に配置されていて、前記第３の案内部は、搬送中のシートの外側面側に配置されていて、前記第２の案内部と前記第３の案内部との間の空間を搬送中のシートが通過する請求項５乃至７いずれか記載の画像形成装置である。
請求項９に係る本発明は、前記第２の搬送手段は、シートを送り出す方向が水平方向よりも上向きであり、前記第１の搬送手段は、前記第２の搬送手段よりも重力方向における下側であって、重量方向においてシートを下向きに移動させる位置に配置されていて、前記第２の案内部及び前記第３の案内部は、水平方向よりも上向きに送り出されたシートを、重力方向において下側に移動するように湾曲させて案内する請求項５乃至８いずれか記載の画像形成装置である。
【発明の効果】
【００１２】
本発明によれば、シートの側縁を所定の位置に揃えてシートを容易に搬送することができ、本構成を有していない場合に比較して、シートに案内面のリブ等による損傷を与えることなく、搬送することができるシート搬送装置及び画像形成装置を提供することができる。
【発明を実施するための最良の形態】
【００１９】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２の下部に例えば１段の給紙ユニット１４が配置されている。
【００２０】
給紙ユニット１４の上部には、給紙ユニット１４から用紙などのシートを取り出す取り出しロール１６が配置されている。取り出しロール１６は、図示しない駆動部によって駆動され、シートを搬送路１８に向けて供給するように回転する。
【００２１】
搬送路１８は、シートを案内する案内部材２０，２２が設けられた取り出しロール１６から排出口２４までのシート通路であり、この搬送路１８は、画像形成装置本体１２の背面側（図１において左側）にあって、給紙ユニット１４から排出口２４まで略垂直に延びる部分を有する。この搬送路１８の定着装置２８の上流側に後述する像保持体７０と転写ロール７８とが配置され、像保持体７０と転写ロール７８の上流側にレジストロール３０が配置されている。また、搬送路１８の排出口２４の近傍には排出ロール（後述する第２の搬送手段）３２が配置されている。
【００２２】
したがって、給紙ユニット１４から取り出しロール１６により取り出されたシートは、搬送路１８に導かれ、レジストロール３０により一時停止され、タイミングをとって後述する像保持体７０と転写ロール７８との間を通って例えば黒色の現像剤像が転写され、この転写された黒色の現像剤像が定着装置２８により定着され、排出ロール３２により排出口２４から排出される。
【００２３】
ただし、カラー印刷の場合は、シートは反復路に３回戻される。即ち、搬送路１８の排出ロール３２の下流は二股に分かれ、その分かれた部分に切換装置３４が設けられていると共に、分けられた部分から湾曲した部分を含んでレジストロール３０まで戻る反復路３６が形成されている。この反復路３６には外側案内部材（第３の案内部）３８、内側案内部材（第２の案内部）４０、傾斜コロ（第１の搬送手段）４２、搬送ロール４４，４６，４８及び側方基準修正部（第１の案内部）５０が設けられている。
【００２４】
外側案内部材３８は、反復路３６の切換装置３４よりも下流に配置されており、反復路３６を通るシートの外側面に接触して、シートを搬送方向に案内する。内側案内部材４０は、反復路３６を挟んで外側案内部材３８に対向するように配置されており、反復路３６を通るシートの内側面に接触して、シートを案内する。傾斜コロ４２は、外側案内部材３８及び内側案内部材４０に案内されるシートを反復路３６に対して傾斜した方向にシートを搬送する（図２、図４〜図８を用いて詳述する）。搬送ロール４４，４６，４８は、傾斜コロ４２によって搬送されたシートをレジストロール３０に向けて搬送する。側方基準修正部５０は、傾斜コロ４２が搬送するシートの搬送方向の側縁を所定の基準位置に揃えるように修整し、シートを所定の搬送方向に案内する。
【００２５】
したがって、カラー印刷の場合には、切換装置３４が反復路３６を開く側に切り換えられ、シートが反復路３６に導かれ、レジストロール３０に向けて搬送されて、像保持体７０と転写ロール７８との間及び定着装置２８を合計４回通って排出口２４から排出されるものである。
【００２６】
画像形成装置本体１２には、例えば略中央部に現像装置５２が配置されている。現像装置５２は、現像装置本体５４、現像ロール５６、層厚規制部材５８及び現像ロール収容壁６０を有し、４色の現像剤によって後述する像保持体７０が保持する静電潜像を可視化する。
【００２７】
現像装置本体５４は、イエロー（Ｙｅｌｌｏｗ）、マゼンタ（Ｍａｇｅｎｔａ）、シアン（Ｃｙａｎ）及び黒（Ｂｌａｃｋ）の現像剤をそれぞれ収容する現像剤収容器６２ａ〜６２ｄが着脱自在に設けられており、回転軸６４を中心として例えば反時計回り（図１において左回り）に回転可能にされ、現像剤収容器６２ａ〜６２ｄが順次に現像ロール５６に対向する位置に移動するようにされている。例えば、現像装置５２は、イエロー（Ｙ）、マゼンタ（Ｍ）、シアン（Ｃ）、黒（Ｋ）の順に静電潜像を現像するようにされている。
【００２８】
現像剤収容器６２ａ〜６２ｄは、現像剤カートリッジ６６ａ〜６６ｄがそれぞれ装着されている。また、現像剤収容器６２ａ〜６２ｄは、現像ロール５６に供給する現像剤、及び現像後に現像ロール５６から剥離した（回収した）現像剤を収容する。
なお、現像剤収容器６２ａ〜６２ｄが収容している現像剤は、例えば非磁性トナー及び磁性キャリアを有する２成分現像剤であり、磁性キャリアの周囲に非磁性トナーが付着するようにされている。
以下、現像剤収容器６２ａ〜６２ｄなど複数ある構成部分のいずれかを特定せずに示す場合には、単に「現像剤収容器６２」などと略記することがある。
【００２９】
現像ロール５６は、像保持体７０に対向する部分が露出するように開口された現像ロール収容壁６０内に収容されており、像保持体７０との間に所定の隙間を形成しつつ、磁力によって保持したそれぞれの色の現像剤を像保持体７０に供給する。
【００３０】
層厚規制部材５８は、例えば現像ロール５６に対して所定の間隔（ギャップ）をあけて設けられた例えばアルミニウム（導電性部材）からなる回転可能なロール状の部材であり、現像ロール５６の表面に付着した（現像ロール５６が保持した）現像剤の層厚（高さ又は量）を規制する。
【００３１】
現像装置５２には、例えば感光体からなる像保持体７０が画像形成装置１０の背面側上方から接触するように配置されている。像保持体７０の正面側には、該像保持体７０を一様帯電する例えば帯電ロールからなる帯電装置７２が設けられている。つまり像保持体７０には、現像バイアスがかけられている。また、像保持体７０には、該像保持体７０の回転方向の帯電装置７２よりも上流側に像保持体用クリーナ７４が当接している。像保持体用クリーナ７４は、転写後に像保持体７０に残留する現像剤を掻き取る。
【００３２】
現像装置５２の上方には、帯電装置７２により帯電された像保持体７０に、レーザ光などの光線により潜像を書き込む光書込み装置７６が配置されている。また、像保持体７０の背面側には、現像装置５２によって可視化された現像剤像を転写位置でシートに転写する転写ロール７８が設けられている。
【００３３】
搬送路１８の転写位置の下流には、定着装置２８が配置されている。定着装置２８は、加熱ロール８０と加圧ロール８２とを有し、像保持体７０と転写ロール７８によりシートに転写された現像剤像に熱と圧力とを加えて、現像剤像を転写ごとにシートに定着させて搬送する。
【００３４】
なお、搬送路１８には、例えば像保持体７０及び転写ロール７８の上流側にシートの通過するタイミングを検知するセンサ８３が設けられている。
また、画像形成装置１０の内部には、図示しないＣＰＵ及びメモリを含み、画像形成装置１０を構成する各部を制御する制御部８４が設けられている。
【００３５】
次に、反復路３６の周辺と、反復路３６を通過するシートについて詳述する。
図２は、傾斜コロ（第１の搬送手段）４２、排出ロール（第２の搬送手段）３２、側方基準修正部（第１の案内部）５０、内側案内部材（第２の案内部）４０及び外側案内部材（第３の案内部）３８の配置を模式的に示した模式図である。
図３は、外側案内部材３８及び内側案内部材４０の形状の詳細を示し、図１のＡ−Ａ線断面図である。
側方基準修正部５０は、シートの搬送方向の側縁が接触することができるように配置され、シートの搬送方向の側縁を所定の基準位置に揃えるための基準面となっており、シートを所定の搬送方向に案内する。
【００３６】
傾斜コロ４２は、図示しない駆動部によって駆動されており、外側案内部材３８又は内側案内部材４０などに案内されるシートが側方基準修正部５０に沿って搬送されるように、側方基準修正部５０にシートの側縁を接触させる方向にシートを搬送する。排出ロール３２は、シートを傾斜コロ４２まで搬送する。
【００３７】
内側案内部材４０は、図２及び図３に示した内側案内面９０を有し、この内側案内面９０に複数のリブ９１が設けられている。また、内側案内面９０は、側方基準修正部５０に沿ってシートが搬送される場合に、傾斜コロ４２よりも搬送方向上流側でシートの内側面に接触してシートを湾曲させて搬送方向に案内する上流（湾曲）内側案内部９２ａと、傾斜コロ４２よりも搬送方向下流側でシートの内側面に接触してシートを搬送方向に案内する下流内側案内部９２ｂとを有する。
【００３８】
外側案内部材３８は、図２及び図３に示した外側案内面９４を有し、この外側案内面９４に複数のリブ９５が設けられている。また、外側案内面９４は、例えば排出ロール３２が搬送するシートが傾斜コロ４２に達する以前に、傾斜コロ４２よりも搬送方向上流側でシートの外側面に接触してシートの搬送方向の側縁が側方基準修正部５０から離れていく方向にシートを湾曲させて案内する上流（湾曲）外側案内部９６ａと、傾斜コロ４２よりも搬送方向下流側でシートの外側面に接触してシートを搬送方向に案内する下流外側案内部９６ｂとを有する。
ここで、上流内側案内部９２ａと上流外側案内部９６ａとは、図３に示したように、側方基準修正部５０側の間隔Ｘが、他方（反側方基準修正部５０側）の間隔Ｙよりも狭くなっている。上流内側案内部９２ａは、側方基準修正部５０側の長さと、側方基準修正部５０の反対側の長さとが同じ（例えば曲率半径が同じ）にされており、側方基準修正部５０に沿ってシートが搬送される場合に、シートを搬送方向に案内する。一方、上流外側案内部９６ａは、側方基準修正部５０側の長さよりも、側方基準修正部５０の反対側の長さが長く（曲率半径が大きく）にされていることにより、排出ロール３２が搬送するシートが傾斜コロ４２に達する以前に、傾斜コロ４２よりも搬送方向上流側でシートの外側面に接触してシートの搬送方向の側縁が側方基準修正部５０から離れていく方向にシートを案内する。
【００３９】
図４乃至図７は、図２に示した各部の配置と、反復路３６を通るシートの状態とを順次に示す模式図であって、各図の（Ａ）は図２に示した各部とシートの位置を重ねて示し、各図の（Ｂ）は（Ａ）のシートのみを示す模式図である。
図４（Ａ）、（Ｂ）に示すように、シートの搬送方向先端が排出ロール３２によって搬送される場合、シート全体が搬送方向に移動する。
【００４０】
図５（Ａ）、（Ｂ）に示すように、シートの腰（弾力）によってシートの外面が外側案内面９４に接触して、シートがさらに搬送されると、シートの搬送方向先端は、側方基準修正部５０が先に進み、側方基準修正部５０の反対側が遅れる。つまり、シートは、外側案内面９４の向きに応じて、側方基準修正部５０から離れていく方向に案内される。
【００４１】
図６（Ａ）、（Ｂ）に示すように、シートの搬送方向先端が傾斜コロ４２に達すると、シートは傾斜コロ４２によって側方基準修正部５０側へ向けて搬送され始める。シートの搬送方向先端が傾斜コロ４２に達した時点では、シートの外面は外側案内面９４に接触している。
【００４２】
図７（Ａ）、（Ｂ）に示すように、シートが傾斜コロ４２によって側方基準修正部５０側へ搬送されると、シートの外面が外側案内面９４から離されて、シートの内面が内側案内面９０に近づく。また、シートの側縁が傾斜コロ４２及び側方基準修正部５０によって所定の方向に揃えられると、シートは側方基準修正部５０及び内側案内面９０によって案内され、傾斜コロ４２によって搬送される。
【００４３】
図８は、図４乃至図７によって示したシートの移動方向を平面的に示した模式図である。
図８に示したように、まず、シートは、側方基準修正部５０から離れる方向に搬送される。そして、シートの搬送方向先端が傾斜コロ４２に達すると、シートは、側方基準修正部５０に向けて搬送され、搬送方向後端側が先に側方基準修正部５０に接触する。さらに傾斜コロ４２がシートを側方基準修正部５０側に向けて搬送すると、シートは、側方基準修正部５０に沿って移動するように、側方基準修正部５０（及び内側案内面９０）に案内される。つまり、シートは、側縁が所定の位置に揃えられ、側方基準修正部５０に沿って搬送される。
【００４４】
次に本発明の実施形態の作用（カラー印刷）について説明する。
画像形成信号が送られると、像保持体７０が帯電装置７２により一様に帯電され、この帯電された像保持体７０には、画像信号に基づいて光書込み装置７６からイエローの画像に対応する光線が出射される。光書込み装置７６からの光線は、像保持体７０の表面を露光し、静電潜像が形成される。
【００４５】
像保持体７０に保持された静電潜像は、現像装置５２の現像ロール５６に供給されるイエローの現像剤で現像され、給紙ユニット１４から給紙されるシートに転写される。イエローの現像剤像を転写されたシートは、定着装置２８に導かれ、加熱ロール８０と加圧ロール８２とによって熱と圧力とを加えられ、現像剤像を定着される。イエローの現像剤像が定着したシートは、切換装置３４によって反復路３６に戻される。
【００４６】
反復路３６に戻されたシートは、外側案内部材３８、内側案内部材４０、傾斜コロ４２及び側方基準修正部５０によって側縁が所定の位置に揃えられ、レジストロール３０に向けて搬送される。
【００４７】
現像ロール５６が保持する（現像ロール５６に残留する）現像剤は、現像ロール５６の図示しない剥離極などによって剥離され、現像剤収容器６２ａに回収される。
【００４８】
そして、現像装置５２の現像装置本体５４が回転することにより、マゼンタの現像剤が現像ロール５６に供給され、像保持体７０が帯電装置７２により一様に帯電され、この帯電された像保持体７０には、画像信号に基づいて光書込み装置７６からマゼンタの画像に対応する光線が出射される。光書込み装置７６からの光線は、像保持体７０の表面を露光し、静電潜像が形成される。
【００４９】
像保持体７０に保持された静電潜像は、現像装置５２の現像ロール５６に供給されたマゼンタの現像剤で現像され、現在画像を形成しているシートに重ねて転写される。マゼンタの現像剤像を転写されたシートは、定着装置２８に導かれ、加熱ロール８０と加圧ロール８２とによって現像剤像を定着される。マゼンタの現像剤像が定着したシートは、切換装置３４によって反復路３６に戻される。
【００５０】
反復路３６に戻されたシートは、外側案内部材３８、内側案内部材４０、傾斜コロ４２及び側方基準修正部５０によって側縁が所定の位置に揃えられ、レジストロール３０に向けて搬送される。
【００５１】
現像ロール５６が保持する（現像ロール５６に残留する）現像剤は、現像ロール５６の図示しない剥離極などによって剥離され、現像剤収容器６２ｂに回収される。
【００５２】
画像を形成されているシートが反復路３６に合計３回戻されることによって、イエロー及びマゼンタの現像剤像と同様に、シアン及び黒の現像剤により現像された現像剤像が定着装置２８によってシートに定着される。シート上で現像剤像が重ね合わされたカラー画像が定着したシートは、切換装置３４によって排出ロール３２に導かれて排出される。
【図面の簡単な説明】
【００５３】
【図１】本発明の実施形態に係る画像形成装置の概要を示す側面図である。
【図２】傾斜コロ、排出ロール、側方基準修正部、内側案内部材及び外側案内部材の配置を模式的に示した模式図である。
【図３】外側案内部材及び内側案内部材の形状の詳細を示し、図１のＡ−Ａ線断面図である。
【図４】図２に示した各部の配置と、搬送方向先端が排出ロールによって搬送されるシートの状態とを示す模式図であって、各図の（Ａ）は図２に示した各部とシートの位置を重ねて示し、各図の（Ｂ）は（Ａ）のシートのみを示す模式図である。
【図５】図２に示した各部の配置と、外面が外側案内面に接触して搬送されるシートの状態とを示す模式図であって、各図の（Ａ）は図２に示した各部とシートの位置を重ねて示し、各図の（Ｂ）は（Ａ）のシートのみを示す模式図である。
【図６】図２に示した各部の配置と、搬送方向先端が傾斜コロに達したシートの状態とを示す模式図であって、各図の（Ａ）は図２に示した各部とシートの位置を重ねて示し、各図の（Ｂ）は（Ａ）のシートのみを示す模式図である。
【図７】図２に示した各部の配置と、側方基準修正部及び内側案内面によって案内されるシートの状態とを示す模式図であって、各図の（Ａ）は図２に示した各部とシートの位置を重ねて示し、各図の（Ｂ）は（Ａ）のシートのみを示す模式図である。
【図８】図４乃至図７によって示したシートの移動方向を平面的に示した模式図である。
【符号の説明】
【００５４】
１０    画像形成装置
１４    給紙ユニット
１８    搬送路
２８    定着装置
３２    排出ロール
３６    反復路
３８    外側案内部材
４０    内側案内部材
４２    傾斜コロ
４４，４６，４８    搬送ロール
５０    側方基準修正部
５２    現像装置
５６    現像ロール
６２ａ〜６２ｄ    現像剤収容器
６４    回転軸
７０    像保持体
７２    帯電装置
７６    光書込み装置
７８    転写ロール
８４    制御部
９０    内側案内面
９２ａ    上流内側案内部
９２ｂ    下流内側案内部
９４    外側案内面
９６ａ    上流外側案内部
９６ｂ    下流外側案内部
【図１】
0005131531.tif 000002
【図２】
0005131531.tif 000003
【図３】
0005131531.tif 000004
【図４】
0005131531.tif 000005
【図５】
0005131531.tif 000006
【図６】
0005131531.tif 000007
【図７】
0005131531.tif 000008
【図８】
0005131531.tif 000009